(57)【要約】【課題】特殊な専門技術を必要とせずに、短時間にねじ込み方向の一方向だけで組付けでき、容易に比較的小さい力で、緩みなく安定的に骨の接合と脱着ができるラグスクリュウを提供すること。【解決手段】ねじ込みによりネイルとラグスクリュウとを組付ける構造にあって、ラグスクリュウが先端に静止安定性の高い二条ねじとねじ込みと巻き戻しのための両面刃先と後端面にねじ込み工具のためのナメ防止の三つ葉以上の葉形凹面溝を備えると共に、ネイルと薄肉スリーブを角形ねじ結合するマスタースクリュウ機能を備え、さらにラグスクリュウに対して薄肉スリーブをコネクターでねじ止めしてさらにコネクターをネイルにカシメ係合する構造を備えることを特徴とする。【選択図】図７
2013248362.tif 000002
【特許請求の範囲】
【請求項１】
ネイルにラグスクリュウを組付ける組付け構造において、ラグスクリュウ本体のねじ部が二条以上のねじで形成され、さらに二条以上のねじ面の相対するそれぞれの片面がほぼ垂直面に加工されていて、ラグスクリュウが速く進み、かつ恒久的に緩まないねじ形状を特徴とするネイルとラグスクリュウを組付ける組付け構造。
【請求項２】
ラグスクリュウ本体を円筒形状にして安価に製作でき、そしてラグスクリュウ本体とセレーション、スプライン、またはキー結合される外周にマスタースクリュウを備える円筒状の薄肉スリーブが形成されてなることを特徴とする請求項１に記載のネイルとラグスクリュウを組付ける組付け構造。
【請求項３】
ラグスクリュウの二条以上のねじと同じリードの二条以上の角形マスタースクリュウを薄肉スリーブの外面に形成して両者を同時に進行させることにより、ラグスクリュウの骨へのねじの食い込みをガタを生じることなく安定的に滑らかに動かすことを特徴とする請求項１に記載のネイルとラグスクリュウを組付ける組付け構造。
【請求項４】
ネイルに薄肉スリーブの外面のマスタースクリュウと噛合う雌の角形ねじを形成させて、ラグスクリュウの初期の骨への食い込み時だけ薄肉スリーブのマスタースクリュウと噛合わせて補助力を与え、骨へ食い込んで安定した後でネイルとのねじ結合が外れて薄肉スリーブが空転してラグスクリュウだけが進むことを特徴とする請求項１に記載のネイルとラグスクリュウを組付ける組付け構造。
【請求項５】
ラグスクリュウをねじ込むためのラグスクリュウ本体の二条以上のねじ部の進み切削刃の先端と骨の成長後も容易にねじ戻してラグスクリュウを取り外すための戻り切削刃の両面を備えてなることを特徴とする請求項１に記載のネイルとラグスクリュウを組付ける組付け構造。
【請求項６】
ラグスクリュウを回し工具により回す時に、機械的な摩擦滑りがなく機械効率よく回すために、三つ葉またはそれ以上の葉形の凹面溝をラグスクリュウ本体のねじ部と反対側面に機械加工されて備えることを特徴とする請求項１に記載のネイルとラグスクリュウを組付ける組付け構造。
【請求項７】
薄肉スリーブのセレーションまたはスプラインの後部の大径を削らずに小径だけを削り取ってラグスクリュウの後端部に備えられる抜け止めストッパーの通路を備えることによって、薄肉スリーブとラグスクリュウの保持力を保持したまま、そのストッパーが薄肉スリーブの抜け止め端部に当たりラグスクリュウがそれ以上前に進まずに突き出ないことを特徴とする請求項１に記載のネイルとラグスクリュウを組付ける組付け構造。
【請求項８】
セット後にラグスクリュウ本体が抜け出ることを防止するために、ラグスクリュウの食い込み完了後に薄肉スリーブ後端内周ねじ部にコネクターをねじ込み、最後にコネクター端とネイル座繰り部を押し当てて両者の相対的動きを防止することを特徴とする請求項１に記載のネイルとラグスクリュウを組付ける組付け構造。
【請求項９】
セット後にラグスクリュウ本体が抜け出ることを防止するために、ラグスクリュウの先端のねじ込み切り刃の後端部が薄肉スリーブの先端部に当たってそれ以上後ろに進んで抜け出ることを防止することを特徴とする請求項１に記載のネイルとラグスクリュウを組付ける組付け構造。
【発明の詳細な説明】
【技術分野】
【０００１】  この発明は、主に大腿骨骨折の骨接合手術に使用するインプラント用のネイルとラグスクリュウの組付け構造に関する。
【背景技術】
【０００２】  従来から、ラグスクリュウを構成するストッパースクリュウのねじ込みによる押し込み力により、ネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【発明の開示】
【発明が解決しようとする課題】
【０００３】  しかしながら、上記の従来の固定構造は、主に円筒状でないために安定性に欠け、ぐらついたり、あるいはラグスクリュウが軸方向に自然に進むといった問題がある。【０００４】  この発明は上記事情に鑑みてなされたものであり、ネイルとラグスクリュウが安価に製作でき、しかも容易に短時間でかつ高い安定性を有して組付けできるネイルとラグスクリュウの組付け構造を提供することを目的とする。
【課題を解決するための手段】
【０００５】  この発明は、上記課題を解決するため、以下の手段を採用する。
この発明に係るネイルとラグスクリュウの組付け構造はラグスクリュウの二条以上のねじのねじ込み先端と反対側の三つ葉形凹面溝からのねじ込みによる押し込み力により、ネイルとラグスクリュウを組付ける組付け構造であって、薄肉スリーブのマスタースクリュウと噛合うための角形雌ねじを備えるネイル、先端ネジ切削刃と二条以上のねじを備える先端部材と後端に三つ葉形凹面溝と薄肉スリーブとの滑り噛合いのためのセレーション、スプライン、またはキー溝を備えるラグスクリュウ、およびラグスクリュウにセレーション、スプライン、またはキー結合され、さらにネイルとの角形ねじ噛合いのためのラグスクリュウの二条以上のねじと同じリードのマスタースクリュウを備える薄肉スリーブから構成されることを特徴とする。【０００６】  上記のような構成によるネイルとラグスクリュウの組付け構造は、構成要素が少なく単純で、ラグスクリュウが容易に短時間で比較的軽い力でねじ込み工具で三つ葉形凹面溝をナメルことなく薄肉スリーブのマスタースクリュウと同時にガイドされてねじ込めされ、ねじ込み工具によるねじ込みの後でラグスクリュウの後端部でコネクターと薄肉スリーブがねじ止め後ネイルとカシメされるので、ネイルとラグスクリュウの間においてぐらつきがなく高い静止安定性を保持することを特徴とする。
【発明の効果】
【０００７】  以上のように、本発明に係るネイルとラグスクリュウとの組付け構造は、ネイルとラグスクリュウとが容易に、短時間に、かつ、高度な安定性を有してねじ込み方向の一方向だけで組付けでき、熟練した技術を必要とせずに骨接合手術を安全に行うことができる利点がある。
【発明を実施するための最良の形態】
【０００８】  この発明に係る一実施形態について、図１、図２、図３、図４、図５、図６、図７を参照して説明する。【０００９】  図１はこの実施例に係るネイル１に挿入されるラグスクリュウ３の全体図を部分的に断面表示を入れて表示したものであり、図２は薄肉スリーブ２のマスタースクリュウとネイル１の角形雌ねじの噛合いが外れてラグスクリュウ３だけが前に進む図であり、図３はラグスクリュウの抜け止めストッパーが薄肉スリーブを通る外径逃げの詳細図であり、図４は平行セレーションまたはスプラインの詳細図であり、図５はコネクターの後端面を表す図であり、図６はラグスクリュウ３の右側面の三つ葉形凹面溝３−４を示す後端面の部分視であり、図７はラグスクリュウ３の切り刃部分の先端部材３−１から３−３を表す詳細図である。【００１０】  この実施例に係るラグスクリュウ３は図１に示されるように、三つ葉以上の葉形凹面溝３−４にはめ込み挿入されるねじ込み工具の捩じりによる押し込み力により、ネイル１にラグスクリュウ３を固定する構造のものである。【００１１】  ラグスクリュウ３は、図１から図３に示されるように、薄肉スリーブ２と角形ねじでマスタースクリュウ結合されるネイル１、先端部材３−１から３−３と後端部材３−４と３−５および中間部材３−６と３−７を含むラグスクリュウ３、およびネイル１と角形ねじ結合し、ラグスクリュウ３とセレーションまたはスプラインで滑り結合する薄肉スリーブ２から構成される。【００１２】  先端部材はそのねじ推進部が二条ねじで構成され、ラグスクリュウ３が一回転でピッチの二倍進む構造で、これにより素早くねじの押し込みが可能となる。さらに、ねじの歯面の形状は図５に見られるように相対する一方側をそれぞれ軸線に対してほぼ垂直にして（３−３）、これにより押し進む方向と戻る方向の両方に抵抗し、従って、緩み止めの効果を発揮する。さらにねじ部の刃先は図７に示されるように、ねじ込み時のドライビング・スクリュウのための刃先３−１とさらにその上にネジを戻す時の抵抗を少なくするための逆の刃先３−２の両方を備えている。二条ねじの後端から薄肉スリーブの接する場所にはセレーション、スプライン、またはキーが切られ、ラグスクリュウ３と薄肉スリーブ２の相対的回り止めの効果を発揮している。このラグスクリュウ３の後端部分には薄肉スリーブ２に対してねじ止めされるコネクター４が結合され、コネクター４−２がネイル１−２に対して押し付けられることにより、マスタースクリューの回り止めがなされ、ラグスクリュウ３の抜け止めの機能を果たしている。【００１３】  ラグスクリュウ３の後端部材は先端部材と一体構造で作られ、最後端面にはねじ込み工具がはめ込み挿入される、摩擦接触面が大きく取れる三つ以上の葉形凹面溝３−４が備えられる。【００１４】  薄肉スリーブ２はラグスクリュウ３にセレーション、スプライン、またはキー滑り結合されて滑らかに軸方向に動くと共に、ラグスクリュウ３の初期の食い込みねじ込み時にはネイル１との角形ねじ結合によってガイドされるマスタースクリュウを備えるのでラグスクリュウ３と一緒に回転できる。【００１５】  なお、この発明の技術範囲は上記実施の形態に限定されるものではなく、本発��の趣旨を逸脱しない範囲において種々の変更を加えることが可能である。
【産業上の利用可能性】
【００１６】  この発明によるラグスクリュウの利用により、特殊な専門技術を必要とせずに、ねじ込み方向の一方向だけで短時間に組付けでき、容易に比較的軽い力で、緩みなく安定的に骨の接合および脱着を行うことができる。
【図面の簡単な説明】
【００１７】
【図１】この発明の一実施形態に係るネイルとラグスクリュウの組付け構造を説明するためのシステム構成図である。
【図２】この発明の一実施形態に係るラグスクリュウ単体での骨への食い込み状態を表す図である。
【図３】この発明の一実施形態に係るストッパー外径逃げ詳細を表す図である。
【図４】この発明の一実施形態に係る平行セレーションまたはスプラインを表す図である。
【図５】この発明の一実施形態に係るコネクターの後端面を表す詳細図である。
【図６】この発明の一実施形態に係るラグスクリュウの後部端部面のねじ込み工具の挿入のための三つ葉形凹面溝の図である。
【図７】この発明の一実施形態に係るラグスクリュウの先端部の切削刃を表す詳細図である。
【符号の説明】
【００１８】１  ネイル
１−１  ネイル雌ねじ
１−２  マスタースクリュウ固定肩部
２  薄肉スリーブ
２−１  マスタースクリュウねじ部
２−２  逃げ溝
２−３  ストッパー外径逃げ
２−４  ストッパー抜け止め端部
３  ラグスクリュウ
３−１  ねじ込み切り刃先
３−２  ねじ戻し切り刃先
３−３  ねじ垂直部
３−４  三つ葉形凹面溝
３−５  ラグスクリュウ抜け止めストッパー
３−６  スリーブ押し端部
３−７  平行セレーションまたはスプライン
４  コネクター
４−１  コネクター駆動六角穴
４−２  コネクター肩当て面
４−３  スリ割り
【図１】
2013248362.tif 000003
【図２】
2013248362.tif 000004
【図３】
2013248362.tif 000005
【図４】
2013248362.tif 000006
【図５】
2013248362.tif 000007
【図６】
2013248362.tif 000008
【図７】
2013248362.tif 000009